(57)【要約】【課題】隣り合う屋根フレームがそれぞれ共通の支持梁に対して支持される構成にあって、さらにその支持梁上に屋根フレーム以外の部材を支持させることができる建物の屋根構造を提供する。【解決手段】建物の屋根部１３において外壁１７よりも屋外側に張り出した屋根張出部３２には、野地板７７を下方から支える複数の張出屋根フレーム６０，７０が設けられている。隣り合う張出屋根フレーム６０，７０の境界部には、張出フレーム５５の連結梁５７ｂが設けられている。連結梁５７には、屋内側に張り出すようにブラケット７６が固定されている。張出屋根フレーム７０はブラケット７６上に載置された状態で設置されている。張出屋根フレーム６０は連結梁５７ｂ上に載置された状態で設置されている。連結梁５７ｂ上において各張出屋根フレーム６０，７０のいずれもが載置されていない非載置部上には支持ブラケットが設けられている。【選択図】      図３
2015151728.tif 000002
【特許請求の範囲】
【請求項１】
並べて設けられるとともに、野地板を下方から支える複数の屋根フレームと、
隣り合う前記屋根フレームの境界部に沿って延び、それら各屋根フレームの荷重をそれぞれ支える支持梁とを備える建物の屋根構造であって、
前記支持梁には、前記各屋根フレームの並ぶ並び方向に当該支持梁から張り出すようにしてブラケットが固定されており、
前記ブラケット上には、前記屋根フレームが載置された状態で支持されていることを特徴とする建物の屋根構造。
【請求項２】
前記支持梁には、前記並び方向のいずれか一方側に当該支持梁から張り出すようにして前記ブラケットが固定されており、
前記隣り合う屋根フレームのうち一方の屋根フレームは前記ブラケット上に載置された状態で支持されており、
他方の屋根フレームは前記支持梁上に載置された状態で支持されていることを特徴とする請求項１に記載の建物の屋根構造。
【請求項３】
屋根上に機器が設置されている建物に適用され、
前記支持梁の上面のうち一部は、前記隣り合う屋根フレームのいずれもが載置されていない非載置部となっており、
前記非載置部上には、前記機器の荷重を下方から支える機器支持部が設けられていることを特徴とする請求項１又は２に記載の建物の屋根構造。
【請求項４】
屋根部の一部が外壁よりも屋外側に張り出した屋根張出部となっており、
前記屋根張出部は、前記隣り合う屋根フレームと、それら各屋根フレームをそれぞれ支持する張出フレームとを備え、
前記張出フレームは、前記外壁よりも屋外側に張り出して設けられる複数の張出梁と、それら各張出梁にそれぞれ連結して設けられる複数の連結梁とを有し、
前記複数の連結梁は前記外壁から離間した位置にそれぞれ設けられ、それら各連結梁のうち最も前記外壁寄りに位置する前記連結梁が前記支持梁であり、
前記隣り合う屋根フレームは、前記屋根張出部の張出方向に並べて設けられているとともに、それら各屋根フレームの境界部に当該連結梁が位置するように配置されており、
当該連結梁には前記ブラケットが固定され、そのブラケット上に前記屋根フレームが載置されていることを特徴とする請求項１乃至３のいずれか一項に記載の建物の屋根構造。
【請求項５】
前記外壁には、当該外壁に設けられた開口部を開閉するシャッタ装置が設けられ、
前記シャッタ装置は、少なくとも一部が前記屋根張出部に埋め込まれるようにして配設されており、その配設状態において最も前記外壁寄りの前記連結梁と前記外壁との間に位置していることを特徴とする請求項４に記載の建物の屋根構造。
【請求項６】
前記隣り合う屋根フレームを支持する支持フレームを備え、
前記支持フレームは、前記隣り合う屋根フレームの境界部に設けられた前記支持梁を有しており、
前記支持梁には、前記並び方向のいずれか一方側に当該支持梁から張り出すようにして前記ブラケットが固定されており、
前記隣り合う屋根フレームのうち一方の屋根フレームは、前記ブラケット上に載置された状態で支持されており、
他方の屋根フレームは前記支持梁上に載置された状態で支持されており、
前記支持梁の上面において前記他方の屋根フレームが載置されていない部分には、屋根上に設置された機器の荷重を下方から支える機器支持部が設けられており、
前記機器支持部は、製造工場において予め前記支持梁に固定されるものであり、
前記他方の屋根フレームは、製造工場において予め前記支持梁上に載置された状態で前記支持フレームに組み付けられるものであり、
前記一方の屋根フレームは、施工現場において前記ブラケット上に載置されることで設置されるものであることを特徴とする請求項１乃至５のいずれか一項に記載の建物の屋根構造。
【発明の詳細な説明】
【技術分野】
【０００１】
本発明は、建物の屋根構造に関する。
【背景技術】
【０００２】
住宅等の建物では、屋根部が陸屋根（フラットルーフ）として構成されている場合がある（例えば特許文献１参照）。陸屋根は、例えば横並びに設けられた屋根フレーム上に野地板が敷き詰められ、その野地板上に下葺き材や屋根仕上げ材等が敷設されることにより形成される。
【０００３】
また、建物には、バルコニーが設けられている場合がある。バルコニーを備える建物では、陸屋根の一部を外壁よりも屋外側に張り出させ、その張出部分（以下、屋根張出部という）によりバルコニーを上方から覆うことがある。
【０００４】
かかる屋根張出部では、その骨格（骨組み）を構成する張出フレームに屋根フレームを支持させる場合がある。張出フレームは、例えば外壁から屋外側に張り出して設けられる一対の張出梁と、それら各張出梁を連結する複数の連結梁とを有して構成される。この場合、屋根フレームは、例えば屋根張出部の張出方向に並べて設けられ、隣り合う屋根フレームの間の境界部に連結梁が位置するように配置される。このような配置状態では、隣り合う屋根フレーム（の端部）同士がそれぞれ連結梁上に載置されることで共通に支持されることが考えられる。
【先行技術文献】
【特許文献】
【０００５】
【特許文献１】特開２０１１−２１４３２２号公報
【発明の概要】
【発明が解決しようとする課題】
【０００６】
ここで、上述した構成において、屋根張出部の上にソーラパネルが設置される場合、ソーラパネルの荷重を下方から支える支持部材が張出フレーム上に設けられることが考えられる。例えば、支持部材が連結梁上に設けられることが考えられる。
【０００７】
しかしながら、隣り合う屋根フレームをそれぞれ連結梁上に支持させる上述の構成では、隣り合う屋根フレーム（の端部）がそれぞれ連結梁上に載置されているため、連結梁上には支持部材を配設するためのスペースが存在しないことが想定される。この場合、連結梁上に支持部材を配設しようとしても、支持部材が連結梁上の屋根フレームと干渉してしまい、支持部材を安定した状態で配設することができないおそれがある。そのため、ソーラパネルの設置を断念せざるを得なくなってしまうおそれがある。
【０００８】
本発明は、上記事情に鑑みてなされたものであり、隣り合う屋根フレームがそれぞれ共通の支持梁に対して支持される構成にあって、さらにその支持梁上に屋根フレーム以外の部材を支持させることができる建物の屋根構造を提供することを主たる目的とするものである。
【課題を解決するための手段】
【０００９】
上記課題を解決すべく、第１の発明の建物の屋根構造は、並べて設けられるとともに、野地板を下方から支える複数の屋根フレームと、隣り合う前記屋根フレームの境界部に沿って延び、それら各屋根フレームの荷重をそれぞれ支える支持梁とを備える建物の屋根構造であって、前記支持梁には、前記各屋根フレームの並ぶ並び方向に当該支持梁から張り出すようにしてブラケットが固定されており、前記ブラケット上には、前記屋根フレームが載置された状態で支持されていることを特徴とする。
【００１０】
本発明によれば、隣り合う屋根フレームの境界部に沿って設けられた支持梁にそれら各屋根フレームがそれぞれ支持されている。このような構成にあって、支持梁には、隣り合う屋根フレームの並び方向に当該支持梁から張り出すようにしてブラケットが固定されており、そのブラケット上に屋根フレームが載置された状態で支持されている。この場合、その屋根フレームについては支持梁上に載置されないため、その分支持梁上に屋根フレームが載置されていない領域（非載置部）を広く確保することができる。これにより、隣り合う屋根フレームがそれぞれ（共通の）支持梁に対して支持される構成にあって、さらに支持梁上にて屋根フレーム以外の部材を支持させることが可能となる。
【００１１】
第２の発明の建物の屋根構造は、第１の発明において、前記支持梁には、前記並び方向のいずれか一方側に当該支持梁から張り出すようにして前記ブラケットが固定されており、前記隣り合う屋根フレームのうち一方の屋根フレームは前記ブラケット上に載置された状態で支持されており、他方の屋根フレームは前記支持梁上に載置された状態で支持されていることを特徴とする。
【００１２】
本発明によれば、隣り合う屋根フレームのうち一方の屋根フレームがブラケット上に載置された状態で支持され、他方の屋根フレームが支持梁上に載置された状態で支持されている。この場合、隣り合う各屋根フレームのうち一方の屋根フレームを支持するブラケットだけを支持梁に設ければよいため、両屋根フレームを支持するブラケットをそれぞれ支持梁に設ける場合と比べてブラケットの個数を少なくすることができる。そのため、部品点数の削減を図りながら、上記第１の発明の効果を得ることができる。
【００１３】
ここで、ブラケットによる屋根フレームの支持構成としては、ブラケットを支持梁の長手方向に沿って所定の間隔で複数配置し、それら複数のブラケット上に跨がるようにして屋根フレームを載置支持する構成が考えられる。このような構成に本発明を適用すれば、部品点数（ブラケット）の削減を大いに図ることが可能となる。
【００１４】
第３の発明の建物の屋根構造は、第１又は第２の発明において、屋根上に機器が設置されている建物に適用され、前記支持梁の上面のうち一部は、前記隣り合う屋根フレームのいずれもが載置されていない非載置部となっており、前記非載置部上には、前記機器の荷重を下方から支える機器支持部が設けられていることを特徴とする。
【００１５】
住宅等の建物では、屋根部にソーラパネル等の機器が設置される場合がある。かかる機器は一般に重量が大きいため、機器の荷重を下方から支える機器支持部が屋根部を構成する骨組み（フレーム）上に設けられることが考えられる。その場合、機器支持部が例えば支持梁上に設けられることが考えられる。この点、本発明では、隣り合う屋根フレームのうち少なくともいずれかをブラケット上に載置することで支持梁の上面に各屋根フレームのいずれもが載置されていない非載置部を形成し、その非載置部上に機器支持部を設けるようにしている。これにより、隣り合う屋根フレームがそれぞれ共通の支持梁により支持される構成にあって、さらに、その支持梁上に機器支持部ひいては機器の荷重を支持させることが可能となる。
【００１６】
第４の発明の建物の屋根構造は、第１乃至第３のいずれかの発明において、屋根部の一部が外壁よりも屋外側に張り出した屋根張出部となっており、前記屋根張出部は、前記隣り合う屋根フレームと、それら各屋根フレームをそれぞれ支持する張出フレームとを備え、前記張出フレームは、前記外壁よりも屋外側に張り出して設けられる複数の張出梁と、それら各張出梁にそれぞれ連結して設けられる複数の連結梁とを有し、前記複数の連結梁は前記外壁から離間した位置にそれぞれ設けられ、それら各連結梁のうち最も前記外壁寄りに位置する前記連結梁が前記支持梁であり、前記隣り合う屋根フレームは、前記屋根張出部の張出方向に並べて設けられているとともに、それら各屋根フレームの境界部に当該連結梁が位置するように配置されており、当該連結梁には前記ブラケットが固定され、そのブラケット上に前記屋根フレームが載置されていることを特徴とする。
【００１７】
屋根張出部では、張出梁と連結梁とを有してなる張出フレームが設けられ、その張出フレームにより屋根フレームが支持される場合がある。ここで、外壁にシャッタ装置等の機器が取り付けられる場合、屋根張出部内のデッドスペースの有効利用を図る等の目的で、機器の少なくとも一部が屋根張出部に埋め込まれるように取り付けられることが考えられる。この場合、かかる機器が（外壁寄りの）連結梁と干渉するのを回避するために、当該連結梁が外壁から屋外側に離間させて配置されることが考えられる。
【００１８】
ここで、かかる構成において、張出フレームに屋根フレームを支持させる場合、屋根フレームを上記連結梁の位置で複数に分割（分断）して配置する必要が生じる場合が考えられる。この場合、分断されて隣り合う屋根フレーム同士が、互いの境界部に連結梁が位置するように配置されることになるため、これら各屋根フレームを共通の連結梁に対して支持させる事情が発生する。そこで本発明では、このような点に鑑みて、かかる構成（詳しくは当該連結梁）に第１の発明を適用している。この場合、屋根張出部において分断された（隣り合う）各屋根フレームをそれぞれ共通の連結梁により支持することができ、またその連結梁上にさらに屋根フレーム以外の別の部材を支持させる事情が生じた場合には、その別の部材についても支持させることが可能となる。
【００１９】
第５の発明の建物の屋根構造は、第４の発明において、前記外壁には、当該外壁に設けられた開口部を開閉するシャッタ装置が設けられ、前記シャッタ装置は、少なくとも一部が前記屋根張出部に埋め込まれるようにして配設されており、その配設状態において最も前記外壁寄りの前記連結梁と前記外壁との間に位置していることを特徴とする。
【００２０】
本発明によれば、屋根張出部に少なくとも一部が埋め込まれるようにしてシャッタ装置が設けられるため、屋根張出部内のスペースの有効利用を図りながらシャッタ装置を設置することができる。また、このようにシャッタ装置を埋め込み式としたことで、（外壁寄りの）連結梁がシャッタ装置との干渉を回避すべく外壁から離間して配置され、さらにはそれに伴って屋根フレームが当該連結梁により分断配置される事情が発生するが、この点については上記第４の発明を適用することで、隣り合う屋根フレームをそれぞれ当該連結梁に支持させながら、それ以外の部材を連結梁に支持させることができる。
【００２１】
第６の発明の建物の屋根構造は、第１乃至第５のいずれかの発明において、前記隣り合う屋根フレームを支持する支持フレームを備え、前記支持フレームは、前記隣り合う屋根フレームの境界部に設けられた前記支持梁を有しており、前記支持梁には、前記並び方向のいずれか一方側に当該支持梁から張り出すようにして前記ブラケットが固定されており、前記隣り合う屋根フレームのうち一方の屋根フレームは、前記ブラケット上に載置された状態で支持されており、他方の屋根フレームは前記支持梁上に載置された状態で支持されており、前記支持梁の上面において前記他方の屋根フレームが載置されていない部分には、屋根上に設置された機器の荷重を下方から支える機器支持部が設けられており、前記機器支持部は、製造工場において予め前記支持梁に固定されるものであり、前記他方の屋根フレームは、製造工場において予め前記支持梁上に載置された状態で前記支持フレームに組み付けられるものであり、前記一方の屋根フレームは、施工現場において前記ブラケット上に載置されることで設置されるものであることを特徴とする。
【００２２】
隣り合う屋根フレームを支持する支持フレームを備える構成では、それら屋根フレームのうち一方を製造工場で支持フレームに組み付け（先付けし）、他方を施工現場で設置（後付け）する場合が考えられる。ここで、施工現場で屋根フレームを後付けする場合には、屋根フレームをクレーン等で吊り下げ支持しながら後付けすることが考えられる。そのため、後付けの屋根フレームを支持梁上に載置する構成とすると、屋根フレームが同じく支持梁上に設けられた機器支持部と干渉し、機器支持部が破損する等の不都合が生じるおそれがある。そこで本発明では、この点に鑑みて、先付けの屋根フレーム（他方の屋根フレーム）を支持梁上に載置し、後付けの屋根フレーム（一方の屋根フレーム）をブラケット上に載置するようにしている。これにより、現場で後付けの屋根フレームを設置する際に、屋根フレームが機器支持部と干渉するのを抑制することができる。
【図面の簡単な説明】
【００２３】
【図１】ユニット式建物の全体を示す斜視図。
【図２】建物ユニットの斜視図。
【図３】バルコニー上方の屋根部周辺の構成を示す縦断面図。
【図４】屋根部に設けられた屋根フレームを示す平面図。
【図５】建物ユニットに張出フレームが連結された状態を示す平面図。
【図６】各張出屋根フレームの境界部周辺の構成を示す縦断面図。
【図７】屋根張出部の製造手順を説明するための説明図。
【発明を実施するための形態】
【００２４】
以下、本発明を具体化した一実施形態を図面を参照しつつ説明する。本実施形態では、建物が複数の建物ユニットにより構築されたユニット式建物となっている。図１は、そのユニット式建物の全体を示す斜視図である。
【００２５】
図１に示すように、建物１０は、基礎１１上に設けられた建物本体１２と、建物本体１２の上方に設けられた屋根部１３とを備える。建物本体１２は、下階部としての一階部分１４と、上階部としての二階部分１５とを有する二階建てとなっている。建物本体１２は、複数の建物ユニット２０が互いに組み合わされることにより構成されている。
【００２６】
建物本体１２の二階部分１５にはバルコニー１６が設けられている。バルコニー１６は、２方の側面が外壁１７により囲まれており、残りの２方の側面が屋外に開放されている。外壁１７には、掃き出し窓からなる窓部１８が形成されている。この窓部１８を通じて居室２４（図３参照）からバルコニー１６への出入りを行うことが可能となっている。また、バルコニー１６における屋外への開放部分には腰壁１９が設けられている。
【００２７】
なお、バルコニー１６は、二階部分１５において建物ユニット２０を一部設けないようにすることで形成された一階部分１４の建物ユニット２０上の空間を利用して形成されている。また、これに代えて、二階部分１５の建物ユニット２０を一階部分１４の建物ユニット２０に対してセットバック（後退）させて配置し、それによって形成される一階部分１４の建物ユニット２０上の空間をバルコニー１６の形成に利用するようにしてもよい。
【００２８】
屋根部１３は、陸屋根（フラットルーフ）として構成されており、その周縁部にはパラペット３１が設けられている。屋根部１３には、建物本体１２よりも屋外側に張り出してバルコニー１６を上方から覆う屋根張出部３２（軒部）が設けられている。屋根張出部３２の荷重の一部はバルコニー１６の出隅部分に立設された支持柱３３により支持されている。
【００２９】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３１】
次に、屋根部１３の構成について図３及び図４に基づいて説明する。図３は、バルコニー１６上方の屋根部１３周辺の構成を示す縦断面図である。図４は、屋根部１３に設けられた屋根フレームを示す平面図である。
【００３２】
図３に示すように、バルコニー１６は外壁１７によって居室２４と仕切られている。外壁１７は、横並びに設けられた複数の外壁パネル３５により構成されており、それらの外壁パネル３５は建物ユニット２０の側面に対して取り付けられている。外壁パネル３５は、バルコニー１６（屋外）に面して設けられた外壁面材３６と、外壁面材３６の裏面側に固定された下地フレーム３７とを有している。外壁面材３６は、窯業系サイディングにより構成されている。
【００３３】
居室２４の天井部には天井面材２７が設けられている。天井面材２７は２枚重ねの石膏ボードよりなり、野縁２９を介して天井大梁２２の下面に取り付けられている。天井面材２７の上方空間（天井裏空間）には天井断熱材４７が設けられ、天井大梁２２の溝部には梁断熱材４８が設けられている。天井断熱材４７と梁断熱材４８とはいずれもグラスウールよりなる。
【００３４】
図３及び図４に示すように、建物ユニット２０の上方にはユニット屋根フレーム４０が設けられている。ユニット屋根フレーム４０は、複数の梁材が矩形枠状に組み合わせられることにより形成されており、建物ユニット２０の各長辺側の天井大梁２２上に架け渡されて設けられている。なお、図４では便宜上、建物ユニット２０を二点鎖線（仮想線）で示している。
【００３５】
ユニット屋根フレーム４０は、互いに対向して設けられた一対の対向梁４１（梁材）と、それら各対向梁４１の間に架け渡されて設けられた複数の小梁４２（梁材）とを備える。各対向梁４１はそれぞれ断面Ｌ字状の鋼材よりなり、小梁４２は角形鋼又は溝形鋼よりなる。各小梁４２はそれぞれ対向梁４１と直交する向きで各対向梁４１の間に架け渡されて固定されている。
【００３６】
ユニット屋根フレーム４０は、各対向梁４１がそれぞれ建物ユニット２０の（長辺側の）天井大梁２２上に載置されることにより設置されている。対向梁４１は天井大梁２２に対して複数のボルト８１により固定されている。これにより、ユニット屋根フレーム４０が各天井大梁２２に固定され、ひいては建物ユニット２０に固定されている。
【００３７】
続いて、屋根張出部３２の構成について説明する。
【００３８】
屋根張出部３２においてその底部には軒天板５１が設けられている。軒天板５１は、所定の耐火性能を有する板状の不燃材よりなる。軒天板５１は、外壁１７と屋根張出部３２の先端部（屋外側端部）との間に架け渡されて設けられている。
【００３９】
外壁１７において窓部１８よりも上方には、シャッタ装置５２が設けられている。シャッタ装置５２は、昇降することで窓部１８を開閉するシャッタカーテン５３と、そのシャッタカーテン５３を巻き取り状態で収納するシャッタボックス５４とを備える。シャッタカーテン５３は、例えばスラット式のシャッタカーテン５３である。シャッタボックス５４は、そのほぼ全体が屋根張出部３２に埋め込まれるようにして外壁１７に取り付けられている。そのため、シャッタボックス５４は、その下面側の一部のみが下方に露出した状態となっている。この場合、軒天板５１の上方の空間（軒天裏空間）を有効利用してシャッタ装置５２の設置が可能となることに加え、外壁１７に形成された窓部１８を上方に拡張することが可能となる。
【００４０】
屋根張出部３２は、当該屋根張出部３２の骨格（骨組み）を構成する張出フレーム５５を備える。張出フレーム５５は、その一端部（屋内側の端部）が建物ユニット２０に連結されており、その連結状態で屋外側（バルコニー１６の上方位置）に張り出すように設けられている。なお、張出フレーム５５が支持フレームに相当する。
【００４１】
図５には、建物ユニット２０に張出フレーム５５が連結された状態を示している。図３及び図５に示すように、張出フレーム５５は、全体として矩形形状をなしており、その長手方向の長さが建物ユニット２０の長手方向の長さと略同じとされている。張出フレーム５５は、一端部が建物ユニット２０の柱２１に固定され他端側が屋外側へ向けて延びる一対の張出梁５６と、それら各張出梁５６の間を連結する２本の連結梁５７とを備える。各張出梁５６は、断面コ字状の溝形鋼よりなる。各張出梁５６は外壁１７（外壁面）に対して直交する向きで設けられ、互いの溝部を向き合わせた状態で配置されている。
【００４２】
各連結梁５７は、断面コ字状の溝形鋼よりなる。各連結梁５７は、張出梁５６に対して直交する向きに延びており、互いの溝部を向き合わせた状態で配置されている。各連結梁５７のうち一方の連結梁５７（以下、その符号にａを付す）は各張出梁５６の先端部（屋外側端部）の間を連結しており、他方の連結梁５７（以下、その符号にｂを付す）は各張出梁５６の中間部の間を連結している。
【００４３】
なお、上述のシャッタ装置５２は外壁１７と屋内側の連結梁５７ｂとの間に配設されている。本実施形態では、シャッタ装置５２を張出フレーム５５と同じ高さ位置に配置することができるように、連結梁５７ｂを外壁１７から屋外側に離間させて配置しており、それによって形成された外壁１７と連結梁５７ｂとの間のスペースにシャッタ装置５２を配設している。
【００４４】
各連結梁５７ａ，５７ｂの間には、張出梁５６に平行となる向きで複数の小梁５８が架け渡されている。小梁５８は、張出梁５６や連結梁５７よりも小さい断面寸法を有する鉄鋼材よりなり、例えば溝形鋼又は角形鋼からなる。
【００４５】
図３に示すように、各小梁５８にはそれぞれ、小梁５８よりも下方へと延びる吊り下げ支持材６７が固定されている。それら各吊り下げ支持材６７の下端には軒天板５１の下地材６８が固定されている。また、連結梁５７ｂには、吊り下げ支持材６７とは別の吊り下げ支持材６９が固定されている。吊り下げ支持材６９は、それよりも屋内側へ延びかつ下方へと延びており、その下端には下地材６８が固定されている。これらの下地材６８はいずれも、小梁５８と直交する方向に延びる長尺材よりなり、これら下地材６８の下面に対して軒天板５１がビス等で取り付けられている。
【００４６】
図３及び図４に示すように、張出フレーム５５には、２つの張出屋根フレーム６０，７０が設けられている。これら各張出屋根フレーム６０，７０は屋根張出部３２の張出方向（屋内外方向）に横並びで設けられており、連結梁５７ｂによって屋内外方向に分断されて配置されている。つまり、これら各張出屋根フレーム６０，７０は、互いの境界部に連結梁５７ｂが位置するように配置されている。各張出屋根フレーム６０，７０のうち、屋外側の張出屋根フレーム６０は張出フレーム５５の各連結梁５７ａ，５７ｂの間に架け渡されて設けられており、屋内側の張出屋根フレーム７０は屋内側の連結梁５７ｂと建物ユニット２０の天井大梁２２との間に架け渡されて設けられている。なお、図４では便宜上、張出フレーム５５を二点鎖線（仮想線）で示している。
【００４７】
各張出屋根フレーム６０，７０はいずれも、複数の梁材が矩形枠状に組み合わせられることにより形成されている。各張出屋根フレーム６０，７０の長手方向（屋根張出部３２の幅方向）の長さはいずれも同じ長さとなっており、張出フレーム５５の長手方向の長さよりも若干小さくなっている。
【００４８】
張出屋根フレーム６０は、互いに対向して設けられた一対の対向梁６１（梁材）と、それら各対向梁６１の間に架け渡されて設けられた複数の小梁６２（梁材）とを備える。各対向梁６１はそれぞれ断面Ｌ字状の鋼材よりなり、互いに平行となる向きで配置されている。各対向梁６１はそれぞれ連結梁５７ａ，５７ｂ上に支持される被支持部６４と、被支持部６４のフレーム内側の端部から上方に立ち上がる立ち上がり部６５とを有している。
【００４９】
小梁６２は、鉄鋼材よりなり、例えば角形鋼又は溝形鋼よりなる。各小梁６２はそれぞれ対向梁６１と直交する向きで各対向梁６１の間に架け渡されており、その両端部が各対向梁６１の立ち上がり部６５に溶接等により固定されている。
【００５０】
張出屋根フレーム６０は、各対向梁６１がそれぞれ張出フレーム５５の各連結梁５７ａ，５７ｂ上に載置されることにより設置されている。各対向梁６１はそれぞれ各連結梁５７ａ，５７ｂに沿って配置され、各々の被支持部６４がそれぞれ各連結梁５７ａ，５７ｂ上に載置された状態で当該連結梁５７ａ，５７ｂにボルト６６により固定されている。なお、ボルト６６は対向梁６１（連結梁５７ａ，５７ｂ）に沿って所定の間隔で複数配置されている。このように、張出屋根フレーム６０は各連結梁５７ａ，５７ｂにより支持された状態で設置されており、ひいては張出フレーム５５により支持された状態で設置されている。また、以下の説明では、各対向梁６１のうち屋外側の対向梁６１の符号にａを付し、屋内側の対向梁６１の符号にｂを付す。
【００５１】
張出屋根フレーム７０は、張出屋根フレーム６０と基本的に同じ構成を有している。すなわち、張出屋根フレーム７０は、張出屋根フレーム６０と同様、互いに対向して設けられた一対の対向梁７１（梁材）と、それら各対向梁７１の間に架け渡されて設けられた複数の小梁７２（梁材）とを備える。対向梁７１は、対向梁６１と同じく断面Ｌ字状の鋼材よりなり、横向きの被支持部７４と縦向きの立ち上がり部７５とをそれぞれ有している。
【００５２】
小梁７２は、小梁６２と同じ鉄鋼材よりなる。小梁７２は、各対向梁７１の間に小梁６２と同じピッチで複数架け渡されており、その両端部が各対向梁７１の立ち上がり部７５に溶接等により固定されている。
【００５３】
張出屋根フレーム７０は、屋外側の対向梁７１ａが連結梁５７ｂに固定されたブラケット７６上に載置され、かつ、屋内側の対向梁７１ｂが建物ユニット２０の天井大梁２２に固定されたブラケット８３上に載置されることにより設置されている。屋外側の対向梁７１ａは連結梁５７ｂに沿って配置され、その被支持部７４が当該連結梁５７ｂの屋内側に固定されたブラケット７６上に載置された状態で当該ブラケット７６にボルト８４により固定されている。
【００５４】
一方、屋内側の対向梁７１ｂは建物ユニット２０の天井大梁２２に沿って配置され、その被支持部７４が天井大梁２２上に固定されたブラケット８３上に載置された状態で当該ブラケット８３にボルト８５により固定されている。ブラケット８３は、天井大梁２２に沿って延びる長尺材であり、天井大梁２２上にボルト８１でユニット屋根フレーム４０の対向梁４１とともに（共締め）固定されている。なお、ボルト８５は、対向梁７１ｂに沿って所定の間隔で複数配置されている。
【００５５】
このように、張出屋根フレーム７０は対向梁７１ｂ及び天井大梁２２に対しそれぞれブラケット７６，８３を介して固定されている。これにより、張出屋根フレーム７０はそれらブラケット７６，８３を介して対向梁７１ｂ及び天井大梁２２に支持された状態で設置されており、ひいては張出フレーム５５及び建物ユニット２０に支持された状態で設置されている。
【００５６】
上述したユニット屋根フレーム４０及び各張出屋根フレーム６０，７０の設置状態において、それら各屋根フレーム４０，６０，７０は横並びで配置されている。これら各屋根フレーム４０，６０，７０（詳しくは小梁４２，６２，７２）の上面はいずれも同一平面上に位置しており、各屋根フレーム４０，６０，７０の上には複数の野地板７７が横並びで設けられている。これら野地板７７は、各屋根フレーム４０，６０，７０の小梁４２，６２，７２上に載置された状態で当該小梁４２，６２，７２に対しビス等で固定されている。それら野地板７７の上には屋根断熱材７８が敷設されている。屋根断熱材７８は硬質ウレタンフォーム等からなる。また、屋根断熱材７８の上には葺き材７９が敷設されている。葺き材７９は耐水皮膜が施された鋼板よりなる。葺き材７９は、屋根部１３の屋根面を形成しており、さらにはパラペット３１側の端部で上方に立ち上げられてパラペット３１の内側面を形成している。
【００５７】
ここで、上述したように、各張出屋根フレーム６０，７０の境界部には張出フレーム５５の連結梁５７ｂが位置しており、その連結梁５７ｂに対して各張出屋根フレーム６０，７０がそれぞれ支持されている。以下では、かかる連結梁５７ｂに対する各張出屋根フレーム６０，７０の支持構成について図４に加え図６を用いながら詳しく説明する。図６は、各張出屋根フレーム６０，７０の境界部周辺の構成を示す縦断面図である。
【００５８】
図４及び図６に示すように、連結梁５７ｂの屋外側にはブラケット７６が固定されている。ブラケット７６は、鋼板により断面Ｌ字状に形成されており、連結梁５７ｂから屋内側に張り出すようにして設けられている。ブラケット７６は、連結梁５７ｂの（ウェブの）屋内側面に溶接固定された固定部７６ａと、固定部７６ａの上端部から屋内側へ延びる（張り出す）支持部７６ｂとを有する。なお、固定部７６ａは連結梁５７ｂにボルト等の締結具により固定してもよい。
【００５９】
支持部７６ｂは、その上面が連結梁５７ｂの上面と同じ高さ位置に設定されている。支持部７６ｂは、その幅詳しくは屋内外方向の長さ（換言すると両張出屋根フレーム６０，７０の並び方向の長さ）が、連結梁５７ｂの幅よりも小さくなっており、具体的には連結梁５７ｂの幅の約半分となっている。
【００６０】
また、ブラケット７６には、その幅方向の両端部にそれぞれ固定部７６ａと支持部７６ｂとを連結する三角板状の補強部７６ｃ（補強リブ）が設けられている。この補強部７６ｃによりブラケット７６の支持強度が高められている。
【００６１】
ブラケット７６は、連結梁５７ｂの長手方向に沿って所定の間隔で複数配置されている。これら各ブラケット７６の支持部７６ｂ上には張出屋根フレーム７０の対向梁７１ａが設けられている。対向梁７１ａの被支持部７４はこれら各ブラケット７６の支持部７６ｂ上に跨がる状態で載置されており、その載置状態でそれら各支持部７６ｂにボルト８４により固定されている。詳しくは、このボルト８４は、被支持部７４に形成された孔部７４ａと支持部７６ｂに形成された孔部９４とにそれぞれ挿通されており、その挿通状態で支持部７６ｂの裏面に溶接固定されたナット９５（ウェルディングナット）に締結されている。
【００６２】
一方、連結梁５７ｂ上には、張出屋根フレーム６０の対向梁６１ｂ（被支持部６４）が載置された状態で設けられている。被支持部６４は、連結梁５７ｂ（上フランジ）の上面における屋外側の部分に載置されており、連結梁５７ｂの上面における屋内側の部分は被支持部６４（及び対向梁７１ａの被支持部７４）が載置されていない非載置部９７となっている。より詳しくは、被支持部６４は、連結梁５７ｂの上面における屋外側の略半分を占めるように載置されており、それ故連結梁５７ｂの上面における屋内側の略半分が非載置部９７となっている。
【００６３】
ここで、非載置部９７は、張出屋根フレーム７０の対向梁７１ａが連結梁５７ｂから屋内側に張り出したブラケット７６上に載置されることにより形成されている。つまり、本建物１０では、各張出屋根フレーム６０，７０のうち一方の張出屋根フレーム７０（対向梁７１ａ）が連結梁５７ｂ上に載置されていない分、連結梁５７ｂ上に各張出屋根フレーム６０，７０のいずれもが載置されていない領域が発生し、その領域が非載置部９７となっている。
【００６４】
被支持部６４は、連結梁５７ｂ（非載置部９７）上に載置された状態で当該連結梁５７ｂに複数のボルト６６により固定されている。詳しくは、このボルト６６は、被支持部６４に形成された孔部６４ａと、連結梁５７ｂの上フランジに形成された孔部９２とにそれぞれ挿通され、その挿通状態で上フランジの下面に溶接固定されたナット９３（ウェルディングナット）に締結されている。
【００６５】
ところで、本実施形態の建物１０には、屋根部１３上にソーラパネル（図示略）が設置されており、そのソーラパネル（機器に相当）の荷重を下方から支える支持ブラケット９８が連結梁５７ｂ上に設けられている。つまり、本建物１０では、連結梁５７ｂに、上述した２つの張出屋根フレーム６０，７０が支持されていることに加え、支持ブラケット９８が支持されている。
【００６６】
支持ブラケット９８は、断面Ｌ字状の鋼板により形成された縦板部９８ａ及び横板部９８ｂを有している。縦板部９８ａの下端部は連結梁５７ｂの上面に溶接により固定されている。横板部９８ｂは縦板部９８ａの上端部から屋外側に向けて延びている。また、支持ブラケット９８には、幅方向の両端部にそれぞれ縦板部９８ａ及び横板部９８ｂを連結する矩形平板状の一対の補強板部９８ｃが設けられている。これら補強板部９８ｃにより支持ブラケット９８の支持強度が高められている。各補強板部９８ｃの下端部はそれぞれ連結梁５７ｂの上面に溶接により固定されている。なお、支持ブラケット９８が機器支持部に相当する。
【００６７】
支持ブラケット９８は、連結梁５７ｂの上面のうち非載置部９７に配設されている。この場合、支持ブラケット９８は、張出屋根フレーム６０の対向梁６１（被支持部６４）と連結梁５７ｂの幅方向に並んで配置されており、対向梁６１（被支持部６４）との干渉が回避されている。詳しくは、支持ブラケット９８は、連結梁５７ｂ上において幅方向（短手方向）の略中央部に配置されており、被支持部６４に対して近接した位置にある。なお、支持ブラケット９８は、被支持部６４に対して当接させて配置されていてもよい。
【００６８】
支持ブラケット９８は、連結梁５７ｂ上にその長手方向に沿って所定の間隔で複数配置されている。詳しくは、支持ブラケット９８は、連結梁５７ｂの長手方向において各張出屋根フレーム６０，７０の小梁６２，７２と同位置に配置されている。
【００６９】
支持ブラケット９８の横板部９８ｂには、上下に延びるアンカーボルト１０１の下部が固定されている。アンカーボルト１０１の上部には、葺き材７９上に設けられた架台９９が固定されている。架台９９は葺き材７９上にて複数箇所に点在させて設けられている。それら複数の架台９９の上には、支持レール１０２が架け渡されて設けられている。支持レール１０２は互いに平行となるよう複数本配設され、それら複数の支持レール１０２に架け渡されるようにしてソーラパネル（図示略）が設置されている。
【００７０】
なお、連結梁５７の上方にある野地板７７及び屋根断熱材７８には支持ブラケット９８との干渉を回避すべく、支持ブラケット９８の配置箇所に対応させて孔部１０４が形成されている。
【００７１】
次に、建物１０の製造手順について説明する。ここでは、屋根張出部３２に関する製造手順を中心として図７に基づいて説明する。なお、図７は、屋根張出部３２の製造手順を説明するための説明図である。
【００７２】
まず製造工場では、建物本体１２を構成する各建物ユニット２０を製造する。この際、二階部分１５を構成する各建物ユニット２０上にはユニット屋根フレーム４０を設置する。また、バルコニー１６と隣接配置される（換言すると居室２４を形成する）建物ユニット２０の天井大梁２２上にはブラケット８３を取り付けておく。
【００７３】
製造工場では、図７（ａ）に示すように、建物ユニット２０の他に、屋根張出部３２を構成する張出フレーム５５及び各張出屋根フレーム６０，７０を製造する。張出フレーム５５の連結梁５７ｂには、各ブラケット７６をそれぞれ溶接固定するとともに、各支持ブラケット９８をそれぞれ溶接固定する。また、各張出屋根フレーム６０，７０のうち屋外側の張出屋根フレーム６０については張出フレーム５５に予め組み付けておく。
【００７４】
建物ユニット２０、張出フレーム５５（張出屋根フレーム６０を含む）及び張出屋根フレーム７０をそれぞれ製造した後、それらをトラック等により施工現場へ搬送する。
【００７５】
施工現場では、まず各建物ユニット２０を所定位置に設置するとともに、それら各建物ユニット２０を連結部材（ドッキングプレート等）を介して互いに連結する作業を行う。その作業を終えた後、図７（ｂ）に示すように、建物ユニット２０に張出フレーム５５を組み付ける作業を行う。この作業は、クレーンにより張出フレーム５５を吊り下げ支持しながら行う。
【００７６】
張出フレーム５５を建物ユニット２０に組み付けた後、図７（ｃ）に示すように、張出フレーム５５に対して張出屋根フレーム７０を設置する作業を行う。この作業も、クレーンにより張出屋根フレーム７０を吊り下げ支持しながら行う。この設置の際、張出屋根フレーム７０の対向梁７１ｂを各ブラケット７６の支持部７６ｂ上に跨がるように載置し、その載置状態で各ブラケット７６（支持部７６ｂ）にボルト８４により固定する。また、対向梁７１ａを、建物ユニット２０の天井大梁２２に固定されたブラケット８３上に載置し、その載置状態でブラケット８３にボルト８５により固定する。これにより、張出屋根フレーム７０が張出フレーム５５（及び建物ユニット２０）に組み付けられる。
【００７７】
その後、張出フレーム５５に軒天板５１等を組み付ける作業を行う。また、各屋根フレーム４０，６０，７０上に野地板７７を敷き詰めて、それら野地板７７上に屋根断熱材７８や葺き材７９を敷設する作業を行う。さらには、パラペット３１を設置する作業を行う。これらの作業を行うことで屋根部１３が形成され、建物１０が構築される。なお、野地板７７や屋根断熱材７８については、製造工場にて予め屋根フレーム４０，６０，７０上に組み付けるようにしてもよい。
【００７８】
以上、詳述した本実施形態の構成によれば、以下の優れた効果が得られる。
【００７９】
隣り合う張出屋根フレーム６０，７０をそれぞれ張出フレーム５５の連結梁５７ｂに支持させる構成にあって、その連結梁５７ｂに当該連結梁５７ｂから屋内側に張り出すようにしてブラケット７６を固定した。そして、そのブラケット７６上に張出屋根フレーム７０（一方の屋根フレームに相当）を載置した状態で支持させるようにし、連結梁５７ｂ上に張出屋根フレーム６０（他方の屋根フレームに相当）を載置した状態で支持させるようにした。この場合、張出屋根フレーム７０が連結梁５７ｂ上に載置されていない分、連結梁５７ｂ上に張出屋根フレーム６０，７０が載置されていない領域（非載置部９７）を広く確保することができる。これにより、隣り合う張出屋根フレーム６０，７０がそれぞれ共通の連結梁５７ｂにより支持される構成にあって、さらに連結梁５７ｂ上に張出屋根フレーム６０，７０以外の部材を支持させることが可能となる。
【００８０】
具体的には、連結梁５７ｂにおける非載置部９７上に、屋根部１３上に設置されたソーラパネルの荷重を支える支持ブラケット９８を載置して支持させた。これにより、隣り合う張出屋根フレーム６０，７０がそれぞれ共通の連結梁５７ｂにより支持される構成にあって、さらに、その連結梁５７ｂにソーラパネルの荷重を支持させることができる。
【００８１】
隣り合う張出屋根フレーム６０，７０のうち一方の張出屋根フレーム７０をブラケット７６上に載置して支持させ、他方の張出屋根フレーム６０が連結梁５７ｂ上に載置して支持させるようにしたため、隣り合う張出屋根フレーム６０，７０のうち一方の張出屋根フレーム７０を支持するブラケット７６だけを連結梁５７ｂに設ければよい。そのため、両張出屋根フレーム６０，７０を支持するブラケットをそれぞれ連結梁５７ｂに設ける場合と比べてブラケットの個数を少なくすることができる。これにより、部品点数の削減を図りながら、上述した各効果を得ることができる。
【００８２】
特に、上記の実施形態では、ブラケット７６を連結梁５７ｂの長手方向に複数配置し、それら複数のブラケット７６上に跨がる状態で張出屋根フレーム７０を支持させる構成を採用しているため、部品点数の削減効果を大きな効果として得ることができる。
【００８３】
張出屋根フレーム６０を製造工場にて張出フレーム５５に組み付け（先付けし）、張出屋根フレーム７０を施工現場にて設置する（後付けする）構成にあって、張出屋根フレーム７０をブラケット７６上に載置支持し、張出屋根フレーム６０を連結梁５７ｂ上に載置支持するようにした。この場合、施工現場において張出屋根フレーム７０をクレーン等で吊り下げ支持しながら設置する際、張出屋根フレーム７０の対向梁７１ａをブラケット７６上に載置すればよいため、対向梁７１ａを連結梁５７ｂ上に予め固定された支持ブラケット９８に干渉させてしまい支持ブラケット９８を破損させてしまうといった不都合の発生を抑制することができる。
【００８４】
本発明は上記実施形態に限らず、例えば次のように実施されてもよい。
【００８５】
（１）上記実施形態では、ブラケット７６を連結梁５７ｂから屋内側に張り出すように設け、そのブラケット７６上に屋内側の張出屋根フレーム７０（対向梁７１ａ）を支持させるようにしたが、これを変更して、ブラケット７６を連結梁５７ｂから屋外側に張り出すように設け、そのブラケット７６上に屋外側の張出屋根フレーム６０（対向梁６１ｂ）を支持させるようにしてもよい。その場合でも、連結梁５７ｂ上に張出屋根フレーム６０が載置されていない分、連結梁５７ｂ上にて非載置部９７を広く確保することができ、その結果連結梁５７ｂ上に支持ブラケット９８を支持させることが可能となる。
【００８６】
また、ブラケット７６を連結梁５７ｂの屋内側及び屋外側のそれぞれに設け、それら各ブラケット７６により両張出屋根フレーム６０，７０をそれぞれ支持するようにしてもよい。この場合、連結梁５７ｂ上に各張出屋根フレーム６０，７０のいずれも載置されないため、連結梁５７ｂ上にて非載置部９７をより一層広く確保することが可能となる。
【００８７】
（２）上記実施形態では、ブラケット７６を短尺状に形成し、それを連結梁５７ｂの長手方向に所定間隔で複数配置したが、これを変更して、ブラケット７６を連結梁５７ｂの長手方向に沿った長尺状に形成してもよい。その場合、ブラケット７６の個数削減を図ることができる。
【００８８】
（３）上記実施形態では、ブラケット７６をＬ字状に形成したが、ブラケット７６の形態は必ずしもこれに限定されない。例えば、ブラケット７６を、四角筒状に形成したり、コ字状に形成したりすることが考えられる。
【００８９】
（４）上記実施形態では、張出屋根フレーム７０を施工現場にて屋根フレーム５５（及び建物ユニット２０）に組み付けるようにしたが、これを変更して、張出屋根フレーム７０を製造工場にて屋根フレーム５５に組み付けるようにしてもよい。例えば、張出屋根フレーム７０の両端の小梁７２をそれぞれ張出フレーム５５の各張出梁５６と連結部材を介して連結し一体化すれば、製造工場にて張出屋根フレーム７０を張出フレーム５５に組み付けることが可能となる。この場合、施工現場にて張出屋根フレーム７０を設置しなくても済むため、その分施工工数の削減を図ることができる。
【００９０】
（５）上記実施形態では、連結梁５７ｂ上にソーラパネルの荷重を支える支持ブラケット９８を設けたが、連結梁５７ｂ上に支持ブラケット９８以外の部材を設けてもよい。例えば、屋根部１３上には、空調装置の室外機（機器に相当）が設置されることが考えられるが、その場合にその室外機の荷重を支える支持ブラケット（機器支持部に相当）を連結梁５７ｂ上に設けるようにしてもよい。
【００９１】
（６）ソーラパネルは、建物１０の施工後に後付けで屋根部１３上に設置される場合が考えられる。その場合でも、施工時に、張出屋根フレーム７０をブラケット７６上に載置することで連結梁５７ｂ上に非載置部９７を形成しておけば、ソーラパネルを設置する際に連結梁５７ｂ（非載置部９７）上に支持ブラケット９８を配設することができる。
【００９２】
（７）上記実施形態では、屋根張出部３２において横並びに設けられる２つ張出屋根フレーム６０，７０に本発明の屋根構造を適用したが、建物ユニット２０上において横並びに設けられる２つのユニット屋根フレーム４０に本発明を適用してもよい。例えば、建物ユニット２０上の屋根構成として、建物ユニット２０の対向する一対の（長辺側の）天井大梁２２間に支持梁を架け渡し、その支持梁を挟んで隣り合う２つの屋根フレーム４０をその支持梁に共通に支持させる構成が考えられる。そこで、そのような構成に対して本発明を適用してもよい。
【００９３】
（８）上記実施形態では、陸屋根を構成する屋根部１３に本発明の屋根構造を適用したが、例えば切妻屋根や寄棟屋根等の傾斜屋根を構成する屋根部（傾斜屋根部）に本発明を適用してもよい。傾斜屋根部においては、その屋根傾斜に沿って屋根フレームが並べて設けられることが考えられるが、その場合にもそれ各屋根フレーム間に支持梁が配置されている場合には、本発明の屋根構造を適用することができる。
【００９４】
（９）上記実施形態では、ユニット式建物への適用例を説明したが、鉄骨軸組工法により構築される建物等、他の構造の建物にも本発明を適用できる。
【符号の説明】
【００９５】
１０…建物、１３…屋根部、１７…外壁、１８…開口部としての窓部、２０…建物ユニット、３２…屋根張出部、４０…ユニット屋根フレーム、５２…シャッタ装置、５５…支持フレームとしての張出フレーム、５６…張出梁、５７…連結梁、５７ｂ…支持梁としての連結梁、６０…屋根フレームとしての張出屋根フレーム、７０…屋根フレームとしての張出屋根フレーム、７６…ブラケット、９７…非載置部、９８…機器支持部としての支持ブラケット。
【図１】
2015151728.tif 000003
【図２】
2015151728.tif 000004
【図３】
2015151728.tif 000005
【図４】
2015151728.tif 000006
【図５】
2015151728.tif 000007
【図６】
2015151728.tif 000008
【図７】
2015151728.tif 000009